(57)【特許請求の範囲】
【請求項１】
平面視したときにｎ角形（ｎは３以上の整数）の各頂点にそれぞれ位置するように配置されて立設されている第１から第ｎまでのｎ本の中心柱と、
水平になるように、かつ、少なくとも一方の端部がｎ角形の外側に飛び出すように、ｎ本のうちのいずれか２本の中心柱に架け渡されるようにして固定されている下水平桁と、
下水平桁よりも高い位置になるように、かつ、平面視したときには下水平桁とは同一直線上に位置しないように、かつ、水平になるように、かつ、少なくとも一方の端部がｎ角形の外側に飛び出すように、ｎ本のうちのいずれか２本の中心柱に架け渡されるようにして固定されている上水平桁と、
下水平桁におけるｎ角形の外側に飛び出した部分および上水平桁におけるｎ角形の外側に飛び出した部分に架け渡されるようにして固定されているささら桁と、
ささら桁に支持されて固定されている踏み板とを備えていることを特徴とする階段。
【請求項２】
平面視したときに三角形の各頂点にそれぞれ位置するように配置されて立設されている第１から第３までの３本の中心柱と、
水平になるように、かつ、少なくとも第２中心柱側の端部が三角形の外側に飛び出すように、第１中心柱および第２中心柱に架け渡されるようにして固定されている下水平桁と、
下水平桁よりも高い位置になるように、かつ、水平になるように、かつ、少なくとも第３中心柱側の端部が三角形の外側に飛び出すように、第１中心柱および第３中心柱に架け渡されるようにして固定されている上水平桁と、
下水平桁における第２中心柱側から三角形の外側に飛び出した部分および上水平桁における第３中心柱側から三角形の外側に飛び出した部分に架け渡されるようにして固定されているささら桁と、
ささら桁に支持されて固定されている踏み板とを備えていることを特徴とする階段。
【請求項３】
平面視したときに三角形の各頂点にそれぞれ位置するように配置されて立設されている第１から第３までの３本の中心柱と、
水平になるように、かつ、少なくとも第２中心柱側の端部が三角形の外側に飛び出すように、第２中心柱および第３中心柱に架け渡されるようにして固定されている下水平桁と、
下水平桁に対して蹴上げの寸法とほぼ等しい寸法分高い位置になるように、かつ、水平になるように、かつ、少なくとも第２中心柱側の端部が三角形の外側に飛び出すように、第１中心柱および第２中心柱に架け渡されるようにして固定されている上水平桁と、
下水平桁における第２中心柱側から三角形の外側に飛び出した部分および上水平桁における第２中心柱側から三角形の外側に飛び出した部分に架け渡されるようにして固定されているささら桁と、
ささら桁に支持されて固定されている踏み板とを備え、この踏み板は、下水平桁から上水平桁まで至る大きさに形成されており、踊り場とされていることを特徴とする階段。
【発明の詳細な説明】
【技術分野】
【０００１】
本発明は、階段に関し、さらに詳しくは、ｎ角形の各頂点に位置するように、ｎ本の中心柱を立設し、これらｎ本の中心柱の外側をらせん状に廻るように、ささら桁を設け、このささら桁に踏み板を設けた階段に関するものである。
【背景技術】
【０００２】
従来から、種々のらせん階段が提供されているが、これらの多くは、下記の特許文献１に開示されているように、鋼製の１本の中心柱の周囲に、鋼製の複数の踏み板を、らせん状に配置しつつ、片持ち状態で支持させたものである。
なお、下記の特許文献２には、木製のらせん階段が開示されている。
また、下記の特許文献３には、平面視三角形状のらせん階段が開示されている。
【特許文献１】特開２００３−２３９４８４号公報
【特許文献２】特開２００５−３２５６２２号公報
【特許文献３】特開平１０−１８３９８７号公報
【発明の開示】
【発明が解決しようとする課題】
【０００３】
しかし、１本の中心柱の周囲に、複数の踏み板を、片持ち状態で支持させるという構造では、十分な強度を発揮させるためには、中心柱および踏み板に高い強度が必要とされ、実用的なコストや意匠を考慮すれば、使用できる素材は、例えば、鋼材等に限られる。
そこで、本発明は、平面視したときにｎ角形（ｎ≧３）の各頂点にそれぞれ位置するように、第１から第ｎまでのｎ本の中心柱を立設し、また、ｎ本のうちのいずれか２本の中心柱に架け渡すようにして、下水平桁を固定し、また、下水平桁よりも高い位置になるように、かつ、平面視したときには下水平桁とは同一直線上に位置しないようにしつつ、ｎ本のうちのいずれか２本の中心柱に架け渡すようにして、上水平桁を固定し、さらに、下水平桁と上水平桁とに架け渡すようにして、ささら桁を固定し、そして、ささら桁に、踏み板を支持させることにより、素材の選択範囲を広げることができる、らせん状の階段を提供することを目的とする。
【課題を解決するための手段】
【０００４】
（第１の発明）
第１の発明は、階段に係るものであって、平面視したときにｎ角形（ｎは３以上の整数）の各頂点にそれぞれ位置するように配置されて立設されている第１から第ｎまでのｎ本の中心柱と、水平になるように、かつ、少なくとも一方の端部がｎ角形の外側に飛び出すように、ｎ本のうちのいずれか２本の中心柱に架け渡されるようにして固定されている下水平桁と、下水平桁よりも高い位置になるように、かつ、平面視したときには下水平桁とは同一直線上に位置しないように、かつ、水平になるように、かつ、少なくとも一方の端部がｎ角形の外側に飛び出すように、ｎ本のうちのいずれか２本の中心柱に架け渡されるようにして固定されている上水平桁と、下水平桁におけるｎ角形の外側に飛び出した部分および上水平桁におけるｎ角形の外側に飛び出した部分に架け渡されるようにして固定されているささら桁と、ささら桁に支持されて固定されている踏み板41とを備えていることを特徴とする。
【０００５】
ここで、本発明に係る階段は、ｎ角形の各頂点に位置するように、ｎ本の中心柱を立設し、これらｎ本の中心柱の外側をらせん状に廻るように、ささら桁を設け、このささら桁に踏み板41を設けたものである。
また、「中心柱」は、らせん状の階段の中心部分に立設される柱である。
本発明では、らせん状の階段の中心部分には、第１から第ｎまでのｎ本の中心柱が立設される。また、本発明では、「ｎ」は、３以上の整数を意味する。また、ｎ本の中心柱は、らせん状の階段の中心に立設されるものであるが、一箇所に束ねるようにして立設されるものではなく、また、一直線上に並べて立設されるものでもない。ｎ本の中心柱は、ｎ角形の各頂点にそれぞれ位置するように立設されるものである。つまり、ｎ本の中心柱は、所定間隔をあけて立設されるものであり、隣り合う中心柱同士を線で結んでいくとｎ角形ができるように配置されるものである。
【０００６】
また、例えば、ｎ＝３とすることができる。つまり、第１から第３までの３本の中心柱を備えることができる。この場合、第１から第３までの３本の中心柱は、三角形の各頂点にそれぞれ位置するように立設される。
また、例えば、ｎ＝４とすることができる。つまり、第１から第４までの４本の中心柱を備えることができる。この場合、第１から第４までの４本の中心柱は、四角形の各頂点にそれぞれ位置するように立設される。
また、例えば、ｎ＝５とすることができる。つまり、第１から第５までの５本の中心柱を備えることができる。この場合、第１から第５までの５本の中心柱は、五角形の各頂点にそれぞれ位置するように立設される。
【０００７】
もちろん、ｎ≧６とすることもできる。つまり、ｎを６以上とすることもできる。
また、「下水平桁」は、ささら桁を支持するための部材であって、ｎ本のうちのいずれか２本の中心柱に架け渡されるようにして固定されるものである。また、下水平桁は、水平になるように、２本の中心柱に固定される。また、下水平桁は、少なくとも一方の端部がｎ角形の外側に飛び出すように、２本の中心柱に固定される。
また、「上水平桁」は、ささら桁を支持するための部材であって、ｎ本のうちのいずれか２本の中心柱に架け渡されるようにして固定されるものである。また、上水平桁は、下水平桁よりも高い位置になるように、２本の中心柱に固定される。また、上水平桁は、平面視したときには下水平桁とは同一直線上に位置しないように、２本の中心柱に固定される。つまり、上水平桁は、平面視したときにはいずれかの中心柱の付近で下水平桁と交差するように、２本の中心柱に固定される。また、上水平桁は、水平になるように、２本の中心柱に固定される。さらに、上水平桁は、少なくとも一方の端部がｎ角形の外側に飛び出すように、２本の中心柱に固定される。
【０００８】
また、下水平桁および上水平桁のいずれについても、少なくとも一方の端部が、ｎ角形の外側に飛び出すように、２本の中心柱に固定されればよく、したがって、両方の端部が、ｎ角形の外側に飛び出すように、２本の中心柱に固定してもよい。
また、上述したように、ｎ本の中心柱は、ｎ角形の各頂点にそれぞれ位置するように立設されるものであり、隣り合う中心柱同士を線で結んでいくとｎ角形ができるように配置されるものであるが、「ｎ角形の外側に飛び出すように」とは、ｎ本の中心柱を線で結んだときに形成されるｎ角形よりも外側に飛び出すように、という意味である。
また、「ささら桁」は、踏み板41を支持するための部材であって、下水平桁におけるｎ角形の外側に飛び出した部分、および上水平桁におけるｎ角形の外側に飛び出した部分に架け渡されるようにして固定されるものである。
【０００９】
つまり、ささら桁は、ｎ角形よりも外側の位置において、一端を下水平桁に、他端を上水平桁に、それぞれ支持されて固定されるものである。また、上水平桁は、下水平桁よりも高い位置にある上に、平面視したときには下水平桁とは同一直線上には位置しないことから、ささら桁は、一端から他端へ向けて高さが次第に高くなるように斜めに傾斜して、下水平桁および上水平桁に架け渡され、支持されて固定されるものである。
そして、ささら桁には、「踏み板41」が支持されて固定される。また、ささら桁には、複数の踏み板41を支持させ固定することができる。
踏み板41に加わった荷重は、まず、ささら桁に伝わり、また、ささら桁に伝わった荷重は、下水平桁および上水平桁に伝わる。また、下水平桁に伝わった荷重は、ｎ本のうちのいずれか２本の中心柱に伝わり、また、上水平桁に伝わった荷重も、ｎ本のうちのいずれか２本の中心柱に伝わる。踏み板41に加わった荷重は、このようにして分散する。
【００１０】
このように、本発明によれば、ｎ角形（ｎ≧３）の各頂点にそれぞれ位置するように、第１から第ｎまでのｎ本の中心柱を立設し、また、ｎ本のうちのいずれか２本の中心柱に架け渡すようにして、下水平桁を固定し、また、下水平桁よりも高い位置になるように、かつ、平面視で下水平桁とは同一直線上に位置しないようにしつつ、ｎ本のうちのいずれか２本の中心柱に架け渡すようにして、上水平桁を固定し、さらに、下水平桁および上水平桁に架け渡すようにして、ささら桁を固定し、そして、ささら桁に、踏み板41を支持させたことから、木製にしても十分な強度を発揮する、らせん状の階段を提供できる。
（第２の発明）
第２の発明は、階段に係るものであって、平面視したときに三角形の各頂点にそれぞれ位置するように配置されて立設されている第１から第３までの３本の中心柱と、水平になるように、かつ、少なくとも第２中心柱12側の端部が三角形の外側に飛び出すように、第１中心柱11および第２中心柱12に架け渡されるようにして固定されている下水平桁と、下水平桁よりも高い位置になるように、かつ、水平になるように、かつ、少なくとも第３中心柱13側の端部が三角形の外側に飛び出すように、第１中心柱11および第３中心柱13に架け渡されるようにして固定されている上水平桁と、下水平桁における第２中心柱12側から三角形の外側に飛び出した部分および上水平桁における第３中心柱13側から三角形の外側に飛び出した部分に架け渡されるようにして固定されているささら桁と、ささら桁に支持されて固定されている踏み板41とを備えていることを特徴とする。
【００１１】
ここで、本発明に係る階段は、第１の発明において、「ｎ＝３」としたものである。
また、本発明では、らせん状の階段の中心に、第１中心柱11、第２中心柱12、および第３中心柱13の３本の中心柱が立設される。また、３本の中心柱は、三角形の各頂点にそれぞれ位置するように立設される。また、第１中心柱11、第２中心柱12、および第３中心柱13は、平面視したときに、この順に時計回りになるように配置してもよく、逆に、この順に反時計回りになるように配置してもよい。
また、「下水平桁」は、水平になるように、かつ、少なくとも第２中心柱12側の端部が三角形の外側に飛び出すように、第１中心柱11および第２中心柱12に架け渡されるようにして固定される部材である。つまり、下水平桁は、水平になるように、第１中心柱11および第２中心柱12に固定される。また、下水平桁は、少なくとも第２中心柱12側の端部が三角形の外側に飛び出すように、第１中心柱11および第２中心柱12に固定される。
【００１２】
また、「上水平桁」は、下水平桁よりも高い位置に、かつ、水平になるように、かつ、少なくとも第３中心柱13側の端部が三角形の外側に飛び出すように、第１中心柱11および第３中心柱13に架け渡されるようにして固定される部材である。つまり、上水平桁は、下水平桁よりも高い位置になるように、第１中心柱11および第３中心柱13に固定される。また、上水平桁は、水平になるように、第１中心柱11および第３中心柱13に固定される。また、上水平桁は、少なくとも第３中心柱13側の端部が三角形の外側に飛び出すように、第１中心柱11および第３中心柱13に固定される。また、下水平桁が第１中心柱11および第２中心柱12に固定され、一方、上水平桁が第１中心柱11および第３中心柱13に固定されることから、下水平桁と上水平桁とは、平面視したときに、同一直線上には位置しない。つまり、下水平桁と上水平桁とは、平面視したときに、第１中心柱11の付近で交差して見える。
【００１３】
また、下水平桁は、第１中心柱11と第２中心柱12とに架け渡されるようにして固定されるものであるが、下水平桁における「第２中心柱12側の端部が三角形の外側に飛び出すように」とは、下水平桁の第２中心柱12側端部が、第２中心柱12よりも先まで延びて、三角形の外側に飛び出すことを意味するものである。上水平桁における「第３中心柱13側の端部が三角形の外側に飛び出すように」ついても同様である。
また、下水平桁および上水平桁のいずれについても、少なくとも上述した側の端部が、三角形の外側に飛び出すように、２本の中心柱に固定されればよく、したがって、両方の端部が、三角形の外側に飛び出すように、２本の中心柱に固定してもよい。
【００１４】
また、「ささら桁」は、踏み板41を支持するための部材であって、下水平桁における第２中心柱12側から三角形の外側に飛び出した部分、および上水平桁における第３中心柱13側から三角形の外側に飛び出した部分に架け渡されるようにして固定される部材である。
つまり、ささら桁は、三角形よりも外側の位置において、一端を下水平桁における第２中心柱12側からの飛び出し部分に、他端を上水平桁における第３中心柱13側からの飛び出し部分に、それぞれ支持されて固定されるものである。また、上水平桁は、下水平桁よりも高い位置にあり、しかも、平面視したときには、下水平桁とは同一直線上には位置しない（第１中心柱11の付近で下水平桁と交差して見える）。このため、ささら桁は、一端から他端へ向かうに従って高さが次第に高くなるように斜めに傾斜して、下水平桁および上水平桁に架け渡され、支持されて固定されるものである。
【００１５】
そして、ささら桁には、「踏み板41」が支持されて固定される。また、ささら桁には、複数の踏み板41を支持させ固定することができる。
踏み板41に加わった荷重は、まず、この踏み板41を支持するささら桁に伝わり、また、ささら桁に伝わった荷重は、このささら桁を支持する下水平桁および上水平桁に伝わる。また、下水平桁に伝わった荷重は、この下水平桁を支持する第１中心柱11および第２中心柱12に伝わり、また、上水平桁に伝わった荷重も、この上水平桁を支持する第１中心柱11および第３中心柱13に伝わる。踏み板41に加わった荷重は、このようにして分散する。
このように、本発明によれば、三角形の各頂点にそれぞれ位置するように、第１から第３までの３本の中心柱を立設し、また、第１中心柱11および第２中心柱12に架け渡すようにして、下水平桁を固定し、また、下水平桁よりも高い位置において、第１中心柱11および第３中心柱13に架け渡すようにして、上水平桁を固定し、さらに、下水平桁および上水平桁に架け渡すようにして、ささら桁を固定し、そして、ささら桁に、踏み板41を支持させたことから、木製にしても十分な強度を発揮する、らせん状の階段を提供できる。
【００１６】
（第３の発明）
第３の発明は、階段に係るものであって、平面視したときに三角形の各頂点にそれぞれ位置するように配置されて立設されている第１から第３までの３本の中心柱と、水平になるように、かつ、少なくとも第２中心柱12側の端部が三角形の外側に飛び出すように、第２中心柱12および第３中心柱13に架け渡されるようにして固定されている下水平桁と、下水平桁に対して蹴上げの寸法とほぼ等しい寸法分高い位置になるように、かつ、水平になるように、かつ、少なくとも第２中心柱12側の端部が三角形の外側に飛び出すように、第１中心柱11および第２中心柱12に架け渡されるようにして固定されている上水平桁と、下水平桁における第２中心柱12側から三角形の外側に飛び出した部分および上水平桁における第２中心柱12側から三角形の外側に飛び出した部分に架け渡すようにして固定されているささら桁と、ささら桁に支持されて固定されている踏み板41とを備え、この踏み板41は、下水平桁から上水平桁まで至る大きさに形成されており、踊り場とされていることを特徴とする。
【００１７】
本発明では、「下水平桁」は、水平になるように、かつ、少なくとも第２中心柱12側の端部が三角形の外側に飛び出すように、第２中心柱12および第３中心柱13に架け渡されるようにして固定される。つまり、本発明では、下水平桁は、少なくとも第２中心柱12側の端部が三角形の外側に飛び出すようにして、第２中心柱12と第３中心柱13とに固定される。
また、本発明では、「上水平桁」は、下水平桁に対して蹴上げの寸法とほぼ等しい寸法分高い位置になるように、かつ、水平になるように、かつ、少なくとも第２中心柱12側の端部が三角形の外側に飛び出すように、第１中心柱11および第２中心柱12に架け渡されるようにして固定される。つまり、本発明では、上水平桁は、蹴上げの寸法とほぼ等しい寸法分、下水平桁よりも高い位置に固定される。すなわち、下水平桁と上水平桁との高低差は、蹴上げの寸法とほぼ等しい寸法とされる。また、本発明では、上水平桁についても、少なくとも第２中心柱12側の端部が三角形の外側に飛び出すようにして、第１中心柱11と第２中心柱12とに固定される。
【００１８】
このため、本発明では、平面視したときに、第２中心柱12付近で、下水平桁と上水平桁とが交差する。また、下水平桁は、第２中心柱12−第３中心柱13線の延長線に沿って第２中心柱12よりも先まで延びており、また、上水平桁は、第１中心柱11−第２中心柱12線の延長線に沿って第２中心柱12よりも先まで延びている。また、ささら桁は、下水平桁における第２中心柱12側からの飛び出し部分と、上水平桁における第２中心柱12側からの飛び出し部分とに固定される。したがって、下水平桁における第２中心柱12側からの飛び出し部分と、上水平桁における第２中心柱12側からの飛び出し部分と、ささら桁とによって、三角形ができる。
【００１９】
そして、本発明では、「踏み板41」は、ささら桁に支持されて固定されるとともに、下水平桁から上水平桁まで至る大きさに形成されるものであるが、この踏み板41は、下水平桁における第２中心柱12側からの飛び出し部分と、上水平桁における第２中心柱12側からの飛び出し部分と、ささら桁とからなる三角形を塞ぐように形成されることから、踊り場として機能する。
なお、「第２中心柱12−第３中心柱13線」とは、第２中心柱12と第３中心柱13とを結ぶ線を意味するものであり、また、「第１中心柱11−第２中心柱12線」とは、第１中心柱11と第２中心柱12とを結ぶ線を意味するものである。
【発明の効果】
【００２０】
本発明によれば、平面視したときにｎ角形（ｎ≧３）の各頂点にそれぞれ位置するように、第１から第ｎまでのｎ本の中心柱を立設し、また、ｎ本のうちのいずれか２本の中心柱に架け渡すようにして、下水平桁を固定し、また、下水平桁よりも高い位置になるように、かつ、平面視したときには下水平桁とは同一直線上に位置しないようにしつつ、ｎ本のうちのいずれか２本の中心柱に架け渡すようにして、上水平桁を固定し、さらに、下水平桁と上水平桁とに架け渡すようにして、ささら桁を固定し、そして、ささら桁に、踏み板を支持させたことから、素材の選択範囲が広い、らせん状の階段を提供できる。具体的には、例えば、木製にしても十分な強度を発揮する、らせん状の階段を提供できる。
【発明を実施するための最良の形態】
【００２１】
（図面の説明）
図１〜図５は、本実施の形態に係る階段の全体斜視図、図６〜図１３は、本実施の形態に係る階段の一部拡大斜視図である。
（階段）
図１〜図１３に示すように、本実施の形態に係る階段は、三角形の各頂点に位置するように、３本の中心柱を立設し、これら３本の中心柱の外側をらせん状に廻るように、ささら桁を設け、このささら桁に踏み板41を設けたものである。
具体的には、図１〜図１３に示すように、本実施の形態に係る階段は、平面視したときに三角形の各頂点にそれぞれ位置するように配置されて立設されている「第１中心柱11」「第２中心柱12」および「第３中心柱13」を備えている。
【００２２】
また、本実施の形態に係る階段は、水平になるように、かつ、第２中心柱12側の端部が三角形の外側に飛び出すように、第２中心柱12および第３中心柱13に架け渡されるようにして固定されている「第１水平桁21」を備えている。
また、本実施の形態に係る階段は、第１水平桁21よりも高い位置になるように、かつ、水平になるように、かつ、第２中心柱12側の端部が三角形の外側に飛び出すように、第１中心柱11および第２中心柱12に架け渡されるようにして固定されている「第２水平桁22」を備えている。
また、本実施の形態に係る階段は、第２水平桁22よりも高い位置になるように、かつ、水平になるように、かつ、第３中心柱13側の端部が三角形の外側に飛び出すように、第１中心柱11および第３中心柱13に架け渡されるようにして固定されている「第３水平桁23」を備えている。
【００２３】
また、本実施の形態に係る階段は、第３水平桁23よりも高い位置になるように、かつ、水平になるように、かつ、第３中心柱13側の端部が三角形の外側に飛び出すように、第２中心柱12および第３中心柱13に架け渡されるようにして固定されている「第４水平桁24」を備えている。
また、本実施の形態に係る階段は、下の階（例えば１階）の床と第１水平桁21との間に架け渡されている「第１外側ささら桁31」および「第１内側ささら桁32」を備えている。
また、本実施の形態に係る階段は、第１水平桁21と第２水平桁22との間に架け渡されている「第２外側ささら桁33」を備えている。
【００２４】
また、本実施の形態に係る階段は、第２水平桁22と第３水平桁23との間に架け渡されている「第３外側ささら桁34」および「第３内側ささら桁35」を備えている。
また、本実施の形態に係る階段は、第３水平桁23と第４水平桁24との間に架け渡されている「第４外側ささら桁36」を備えている。
また、本実施の形態に係る階段は、第４水平桁24と上の階（例えば２階）の床との間に架け渡されている「第５外側ささら桁37」および「第５内側ささら桁38」を備えている。
また、本実施の形態に係る階段は、ささら桁に支持されて固定されている複数の「踏み板41」を備えている。
【００２５】
また、本実施の形態に係る階段は、隣り合う中心柱同士を連結する「柱連結部材」を備えている。
以下更に、本実施の形態に係る階段が備える各構成について詳しく説明する。
（中心柱）
図１〜図１３に示すように、３本の中心柱（第１中心柱11、第２中心柱12および第３中心柱13）は、三角形の各頂点にそれぞれ位置するように立設されている。
また、第１中心柱11と第２中心柱12とを結ぶ線を「第１中心柱11−第２中心柱12線」とする。
【００２６】
また、第２中心柱12と第３中心柱13とを結ぶ線を「第２中心柱12−第３中心柱13線」とする。
また、第１中心柱11と第３中心柱13とを結ぶ線を「第１中心柱11−第３中心柱13線」とする。
また、「第１中心柱11−第２中心柱12線」と「第２中心柱12−第３中心柱13線」と「第１中心柱11−第３中心柱13線」とによって形成される三角形を「中心三角形」とする。
また、３本の中心柱には、断面がほぼ五角形状の木材を用いている。
そして、第１中心柱11の外向きの一面と第２中心柱12の外向きの一面とが平行になり、かつ、第２中心柱12の外向きの一面と第３中心柱13の外向きの一面とが平行になり、かつ、第３中心柱13の外向きの一面と第１中心柱11の外向きの一面とが平行になるようにしてある。
【００２７】
また、第１中心柱11、第２中心柱12および第３中心柱13は、平面視したときに、この順に反時計回りになるように配置されている。
なお、第１中心柱11、第２中心柱12および第３中心柱13は、平面視したときに、この順に時計回りになるように配置してもよい。そうすると、逆まわりのらせん状の階段ができる。
（第１水平桁21）
図１〜図１３に示すように、第１水平桁21は、水平になるように、かつ、第２中心柱12側の端部が中心三角形の外側に飛び出すように、第２中心柱12および第３中心柱13に架け渡されるようにして固定されている。
【００２８】
具体的には、第１水平桁21は、水平になるように、第２中心柱12および第３中心柱13に固定されている。
また、第１水平桁21は、第２中心柱12側の端部が中心三角形の外側に飛び出すように、第２中心柱12および第３中心柱13に固定されている。つまり、第１水平桁21は、第２中心柱12と第３中心柱13とに架け渡されるようにして固定されているが、その第２中心柱12側の端部が、第２中心柱12よりも先まで延びて、中心三角形の外側に飛び出している。
また、第１水平桁21には、ほぼ四角板状の木材を用いている。
また、第１水平桁21は、釘やネジなどの固定具を用いて、第２中心柱12および第３中心柱13に固定されている。
【００２９】
また、第１水平桁21は、第２水平桁22との関係では、「下水平桁」となる。
（第２水平桁22）
図１〜図１３に示すように、第２水平桁22は、第１水平桁21よりも高い位置になるように、かつ、水平になるように、かつ、第２中心柱12側の端部が中心三角形の外側に飛び出すように、第１中心柱11および第２中心柱12に架け渡されるようにして固定されている。
具体的には、第２水平桁22は、第１水平桁21に対して蹴上げの寸法とほぼ等しい寸法分高い位置になるように、第１中心柱11および第２中心柱12に固定されている。つまり、第２水平桁22は、蹴上げの寸法とほぼ等しい寸法分、第１水平桁21よりも高い位置に固定されている。すなわち、第１水平桁21と第２水平桁22との高低差は、蹴上げの寸法とほぼ等しい寸法とされている。
【００３０】
また、第１水平桁21が第２中心柱12および第３中心柱13に固定され、一方、第２水平桁22が第１中心柱11および第２中心柱12に固定されていることから、第１水平桁21と第２水平桁22とは、平面視したときに、同一直線上には位置しない。つまり、第１水平桁21と第２水平桁22とは、平面視したときに、第２中心柱12の付近で交差して見える。
また、第２水平桁22は、水平になるように、第１中心柱11および第２中心柱12に固定されている。
また、第２水平桁22は、第２中心柱12側の端部が中心三角形の外側に飛び出すように、第１中心柱11および第２中心柱12に固定されている。つまり、第２水平桁22は、第１中心柱11と第２中心柱12とに架け渡されるようにして固定されているが、その第２中心柱12側の端部が、第１中心柱11−第２中心柱12線に添って第２中心柱12よりも先まで延びて、中心三角形の外側に飛び出している。
【００３１】
また、第２水平桁22には、ほぼ四角板状の木材を用いている。
また、第２水平桁22は、釘やネジなどの固定具を用いて、第１中心柱11および第２中心柱12に固定されている。
また、第２水平桁22は、第１水平桁21との関係では、「上水平桁」となる。
また、第２水平桁22は、第３水平桁23との関係では、「下水平桁」となる。
（第３水平桁23）
図１〜図１３に示すように、第３水平桁23は、第２水平桁22よりも高い位置になるように、かつ、水平になるように、かつ、第３中心柱13側の端部が中心三角形の外側に飛び出すように、第１中心柱11および第３中心柱13に架け渡されるようにして固定されている。
【００３２】
具体的には、第３水平桁23は、第２水平桁22に対して、階段４段分高い位置になるように、第１中心柱11および第３中心柱13に固定されている。つまり、第３水平桁23は、階段４段分、第２水平桁22よりも高い位置に固定されている。すなわち、第２水平桁22と第３水平桁23との高低差は、階段４段とほぼ等しい寸法とされている。
また、第２水平桁22が第１中心柱11および第２中心柱12に固定され、一方、第３水平桁23が第１中心柱11および第３中心柱13に固定されていることから、第２水平桁22と第３水平桁23とは、平面視したときに、同一直線上には位置しない。つまり、第２水平桁22と第３水平桁23とは、平面視したときに、第１中心柱11の付近で交差して見える。
【００３３】
また、第３水平桁23は、水平になるように、第１中心柱11および第３中心柱13に固定されている。
また、第３水平桁23は、第３中心柱13側の端部が中心三角形の外側に飛び出すように、第１中心柱11および第３中心柱13に固定されている。つまり、第３水平桁23は、第１中心柱11と第３中心柱13とに架け渡されるようにして固定されているが、その第３中心柱13側の端部が、第３中心柱13よりも先まで延びて、中心三角形の外側に飛び出している。
また、第３水平桁23には、ほぼ四角板状の木材を用いている。
また、第３水平桁23は、釘やネジなどの固定具を用いて、第１中心柱11および第３中心柱13に固定されている。
【００３４】
また、第３水平桁23は、第２水平桁22との関係では、「上水平桁」となる。
また、第３水平桁23は、第４水平桁24との関係では、「下水平桁」となる。
（第４水平桁24）
図１〜図１３に示すように、第４水平桁24は、第３水平桁23よりも高い位置になるように、かつ、水平になるように、かつ、第３中心柱13側の端部が中心三角形の外側に飛び出すように、第２中心柱12および第３中心柱13に架け渡されるようにして固定されている。
具体的には、第４水平桁24は、第３水平桁23に対して蹴上げの寸法とほぼ等しい寸法分高い位置になるように、第２中心柱12および第３中心柱13に固定されている。つまり、第４水平桁24は、蹴上げの寸法とほぼ等しい寸法分、第３水平桁23よりも高い位置に固定されている。すなわち、第３水平桁23と第４水平桁24との高低差は、蹴上げの寸法とほぼ等しい寸法とされている。
【００３５】
また、第３水平桁23が第１中心柱11および第３中心柱13に固定され、一方、第４水平桁24が第２中心柱12および第３中心柱13に固定されていることから、第３水平桁23と第４水平桁24とは、平面視したときに、同一直線上には位置しない。つまり、第３水平桁23と第４水平桁24とは、平面視したときに、第３中心柱13の付近で交差して見える。
また、第４水平桁24は、水平になるように、第２中心柱12および第３中心柱13に固定されている。
また、第４水平桁24は、第３中心柱13側の端部が中心三角形の外側に飛び出すように、第２中心柱12および第３中心柱13に固定されている。つまり、第４水平桁24は、第２中心柱12と第３中心柱13とに架け渡されるようにして固定されているが、その第３中心柱13側の端部が、第２中心柱12−第３中心柱13線に沿って第３中心柱13よりも先まで延びて、三角形の外側に飛び出している。
【００３６】
また、第４水平桁24には、ほぼ四角板状の木材を用いている。
また、第４水平桁24は、釘やネジなどの固定具を用いて、第２中心柱12および第３中心柱13に固定されている。
また、第４水平桁24は、第３水平桁23との関係では、「上水平桁」となる。
（第１外側ささら桁31）
図１〜図１３に示すように、第１外側ささら桁31は、下の階の床と第１水平桁21との間に架け渡されているささら桁である。
また、第１外側ささら桁31は、下の階の床から第１水平桁21へ向けて高さが次第に高くなるように斜めに傾斜している。
【００３７】
また、第１外側ささら桁31は、中心三角形よりも外側の位置に設けられている。
また、第１外側ささら桁31は、第１中心柱11−第２中心柱12線との間に所定距離をあけて、第１中心柱11−第２中心柱12線と平行に配置されている。
また、第１外側ささら桁31は、その下端を、下の階の床に支持されているとともに、その上端を、第１水平桁21の第２中心柱12側端部に支持されて固定されている。
また、第１外側ささら桁31には、ほぼ四角板状の木材を用いている。
また、第１外側ささら桁31は、釘やネジなどの固定具を用いて、第１水平桁21に固定されている。
【００３８】
（第１内側ささら桁32）
図１〜図１３に示すように、第１内側ささら桁32は、第１外側ささら桁31よりも中心柱側の位置に配置され、第１外側ささら桁31との間に所定距離をあけて、第１外側ささら桁31と平行になるようにして、下の階の床と第１水平桁21との間に架け渡されているささら桁である。
また、第１内側ささら桁32は、下の階の床から第１水平桁21へ向けて高さが次第に高くなるように斜めに傾斜している。
また、第１内側ささら桁32は、中心三角形よりも外側の位置に設けられている。
【００３９】
また、第１内側ささら桁32は、第１中心柱11−第２中心柱12線に沿って配置されている。
また、第１内側ささら桁32は、その下端を、下の階の床に支持されているとともに、その上端を、第１水平桁21に支持されて固定されており、さらには、第１中心柱11および第２中心柱12にも固定されている。
また、第１内側ささら桁32には、ほぼ四角板状の木材を用いている。
また、第１内側ささら桁32は、釘やネジなどの固定具を用いて、第１水平桁21、第１中心柱11および第２中心柱12に固定されている。
【００４０】
（第２外側ささら桁33）
図１〜図１３に示すように、第２外側ささら桁33は、第１水平桁21と第２水平桁22との間に架け渡されているささら桁である。
また、第２外側ささら桁33は、第１水平桁21から第２水平桁22へ向けて高さが次第に高くなるように斜めに傾斜している。
また、第２外側ささら桁33は、中心三角形よりも外側の位置に設けられている。
また、第２外側ささら桁33は、第１水平桁21における第２中心柱12側から中心三角形の外側に飛び出した部分と、第２水平桁22における第２中心柱12側から中心三角形の外側に飛び出した部分とに架け渡されるようにして固定されている。具体的には、第２外側ささら桁33は、その下端を、第１水平桁21の第２中心柱12側端部に固定されているとともに、その上端を、第２水平桁22の第２中心柱12側端部に固定されている。
【００４１】
また、第２外側ささら桁33には、ほぼ四角板状の木材を用いている。
また、第２外側ささら桁33は、釘やネジなどの固定具を用いて、第１水平桁21および第２水平桁22に固定されている。
また、上述したように、第１水平桁21は、第２中心柱12−第３中心柱13線の延長線に沿って、第２中心柱12よりも先まで延びており、また、第２水平桁22は、第１中心柱11−第２中心柱12線の延長線に沿って、第２中心柱12よりも先まで延びている。また、第２外側ささら桁33は、一端を第１水平桁21の第２中心柱12側端部に、他端を第２水平桁22の第２中心柱12側端部に、それぞれ固定されている。したがって、平面視したときに、第１水平桁21における第２中心柱12側からの飛び出し部分と、第２水平桁22における第２中心柱12側からの飛び出し部分と、第２外側ささら桁33とによって、三角形ができる。この三角形を「第１踊り場三角形」とする。
【００４２】
（第３外側ささら桁34）
図１〜図１３に示すように、第３外側ささら桁34は、第２水平桁22と第３水平桁23との間に架け渡されているささら桁である。
また、第３外側ささら桁34は、第２水平桁22から第３水平桁23へ向けて高さが次第に高くなるように斜めに傾斜している。
また、第３外側ささら桁34は、中心三角形よりも外側の位置に設けられている。
また、第３外側ささら桁34は、第２中心柱12−第３中心柱13線との間に所定距離をあけて、第２中心柱12−第３中心柱13線と平行に配置されている。
【００４３】
また、第３外側ささら桁34は、第２水平桁22における第２中心柱12側から中心三角形の外側に飛び出した部分と、第３水平桁23における第３中心柱13側から中心三角形の外側に飛び出した部分とに架け渡されるようにして固定されている。具体的には、第３外側ささら桁34は、その下端を、第２水平桁22の第２中心柱12側端部に固定されているとともに、その上端を、第３水平桁23の第３中心柱13側端部に固定されている。
また、第３外側ささら桁34には、ほぼ四角板状の木材を用いている。
また、第３外側ささら桁34は、釘やネジなどの固定具を用いて、第２水平桁22および第３水平桁23に固定されている。
【００４４】
（第３内側ささら桁35）
図１〜図１３に示すように、第３内側ささら桁35は、第３外側ささら桁34よりも中心柱側の位置に配置され、第３外側ささら桁34との間に所定距離をあけて、第３外側ささら桁34と平行になるようにして、第２水平桁22と第３水平桁23との間に架け渡されているささら桁である。
また、第３内側ささら桁35は、第２水平桁22から第３水平桁23へ向けて高さが次第に高くなるように斜めに傾斜している。
また、第３内側ささら桁35は、中心三角形よりも外側の位置に設けられている。
【００４５】
また、第３内側ささら桁35は、第２中心柱12−第３中心柱13線に沿って配置されている。
また、第３内側ささら桁35は、その下端を、第２水平桁22における第２中心柱12側から中心三角形の外側に飛び出した部分に固定されているとともに、その上端を、第３水平桁23における第３中心柱13側から中心三角形の外側に飛び出した部分に固定されており、さらには、第２中心柱12および第３中心柱13にも固定されている。
また、第３内側ささら桁35には、ほぼ四角板状の木材を用いている。
また、第３内側ささら桁35は、釘やネジなどの固定具を用いて、第２水平桁22、第３水平桁23、第２中心柱12および第３中心柱13に固定されている。
【００４６】
（第４外側ささら桁36）
図１〜図１３に示すように、第４外側ささら桁36は、第３水平桁23と第４水平桁24との間に架け渡されているささら桁である。
また、第４外側ささら桁36は、第３水平桁23から第４水平桁24へ向けて高さが次第に高くなるように斜めに傾斜している。
また、第４外側ささら桁36は、中心三角形よりも外側の位置に設けられている。
また、第４外側ささら桁36は、第３水平桁23における第３中心柱13側から中心三角形の外側に飛び出した部分と、第４水平桁24における第３中心柱13側から中心三角形の外側に飛び出した部分とに架け渡されるようにして固定されている。具体的には、第４外側ささら桁36は、その下端を、第３水平桁23の第３中心柱13側端部に固定されているとともに、その上端を、第４水平桁24の第３中心柱13側端部に固定されている。
【００４７】
また、第４外側ささら桁36には、ほぼ四角板状の木材を用いている。
また、第４外側ささら桁36は、釘やネジなどの固定具を用いて、第３水平桁23および第４水平桁24に固定されている。
また、上述したように、第３水平桁23は、第１中心柱11−第３中心柱13線の延長線に沿って、第３中心柱13よりも先まで延びており、また、第４水平桁24は、第２中心柱12−第３中心柱13線の延長線に沿って、第３中心柱13よりも先まで延びている。また、第４外側ささら桁36は、一端を第３水平桁23の第３中心柱13側端部に、他端を第４水平桁24の第３中心柱13側端部に、それぞれ固定されている。したがって、平面視したときに、第３水平桁23における第３中心柱13側からの飛び出し部分と、第４水平桁24における第３中心柱13側からの飛び出し部分と、第４外側ささら桁36とによって、三角形ができる。この三角形を「第２踊り場三角形」とする。
【００４８】
（第５外側ささら桁37）
図１〜図１３に示すように、第５外側ささら桁37は、第４水平桁24と上の階の床との間に架け渡されているささら桁である。
また、第５外側ささら桁37は、第４水平桁24から上の階の床へ向けて高さが次第に高くなるように斜めに傾斜している。
また、第５外側ささら桁37は、中心三角形よりも外側の位置に設けられている。
また、第５外側ささら桁37は、第１中心柱11−第３中心柱13線との間に所定距離をあけて、第１中心柱11−第３中心柱13線と平行に配置されている。
【００４９】
また、第５外側ささら桁37は、第４水平桁24における第３中心柱13側から中心三角形の外側に飛び出した部分と、上の階の床とに架け渡されるようにして固定されている。具体的には、第５外側ささら桁37は、その下端を、第４水平桁24の第３中心柱13側端部に固定されているとともに、その上端を、上の階の床に固定されている。
また、第５外側ささら桁37には、ほぼ四角板状の木材を用いている。
また、第５外側ささら桁37は、釘やネジなどの固定具を用いて、第４水平桁24および上の階の床に固定されている。
（第５内側ささら桁38）
図１〜図１３に示すように、第５内側ささら桁38は、第５外側ささら桁37よりも中心柱側の位置に配置され、第５外側ささら桁37との間に所定距離をあけて、第５外側ささら桁37と平行になるようにして、第４水平桁24と上の階の床との間に架け渡されているささら桁である。
【００５０】
また、第５内側ささら桁38は、第４水平桁24から上の階の床へ向けて高さが次第に高くなるように斜めに傾斜している。
また、第５内側ささら桁38は、中心三角形よりも外側の位置に設けられている。
また、第５内側ささら桁38は、第１中心柱11−第３中心柱13線に沿って配置されている。
また、第５内側ささら桁38は、その下端を、第４水平桁24に固定されているとともに、その上端を、上の階の床に固定されており、さらには、第１中心柱11および第３中心柱13にも固定されている。
【００５１】
また、第５内側ささら桁38には、ほぼ四角板状の木材を用いている。
また、第５内側ささら桁38は、釘やネジなどの固定具を用いて、上の階の床、第４水平桁24、第１中心柱11および第３中心柱13に固定されている。
（踏み板41）
図１〜図１３に示すように、第１外側ささら桁31および第１内側ささら桁32には、四角形状の３枚の踏み板41が支持されて固定され、また、第２外側ささら桁33には、三角形状の１枚の踏み板41が支持されて固定され、また、第３外側ささら桁34および第３内側ささら桁35には、四角形状の４枚の踏み板41が支持されて固定され、また、第４外側ささら桁36には、三角形状の１枚の踏み板41が支持されて固定され、また、第５外側ささら桁37および第５内側ささら桁38には、四角形状の４枚の踏み板41が支持されて固定されている。
【００５２】
具体的には、第１外側ささら桁31と第１内側ささら桁32との間には、四角形状の３枚の踏み板41が設けられている。これら３枚の踏み板41は、一方を第１外側ささら桁31に、他方を第１内側ささら桁32に、それぞれ支持されて固定されている。
また、第２外側ささら桁33には、三角形状の１枚の踏み板41が支持されて固定されている。上述したように、第１水平桁21は、第２中心柱12−第３中心柱13線の延長線に沿って、第２中心柱12よりも先まで延びており、また、第２水平桁22は、第１中心柱11−第２中心柱12線の延長線に沿って、第２中心柱12よりも先まで延びている。また、第２外側ささら桁33は、一端を第１水平桁21の第２中心柱12側端部に、他端を第２水平桁22の第２中心柱12側端部に、それぞれ固定されている。したがって、平面視したときに、第１水平桁21における第２中心柱12側からの飛び出し部分と、第２水平桁22における第２中心柱12側からの飛び出し部分と、第２外側ささら桁33とによって、「第１踊り場三角形」とされる三角形ができる。また、第２外側ささら桁33に支持されて固定されている踏み板41は、第１踊り場三角形と合致する形状に形成されている。このため、第２外側ささら桁33に支持されて固定されている踏み板41は、第１水平桁21から第２水平桁22まで至る大きさとなっている。さらに、第２外側ささら桁33に支持されて固定されている踏み板41は、一端を第１水平桁21に、他端を第２水平桁22に、それぞれ固定されている。そして、第２外側ささら桁33に支持されて固定されている踏み板41は、踊り場とされている。
【００５３】
また、第３外側ささら桁34と第３内側ささら桁35との間には、四角形状の４枚の踏み板41が設けられている。これら４枚の踏み板41は、一方を第３外側ささら桁34に、他方を第３内側ささら桁35に、それぞれ支持されて固定されている。
また、第４外側ささら桁36には、三角形状の１枚の踏み板41が支持されて固定されている。上述したように、第３水平桁23は、第１中心柱11−第３中心柱13線の延長線に沿って、第３中心柱13よりも先まで延びており、また、第４水平桁24は、第２中心柱12−第３中心柱13線の延長線に沿って、第３中心柱13よりも先まで延びている。また、第４外側ささら桁36は、一端を第３水平桁23の第３中心柱13側端部に、他端を第４水平桁24の第３中心柱13側端部に、それぞれ固定されている。したがって、平面視したときに、第３水平桁23における第３中心柱13側からの飛び出し部分と、第４水平桁24における第３中心柱13側からの飛び出し部分と、第４外側ささら桁36とによって、「第２踊り場三角形」とされる三角形ができる。また、第４外側ささら桁36に支持されて固定されている踏み板41は、第２踊り場三角形と合致する形状に形成されている。このため、第４外側ささら桁36に支持されて固定されている踏み板41は、第３水平桁23から第４水平桁24まで至る大きさとなっている。さらに、第４外側ささら桁36に支持されて固定されている踏み板41は、一端を第３水平桁23に、他端を第４水平桁24に、それぞれ固定されている。そして、第４外側ささら桁36に支持されて固定されている踏み板41は、踊り場とされている。
【００５４】
また、第５外側ささら桁37と第５内側ささら桁38との間には、四角形状の４枚の踏み板41が設けられている。これら４枚の踏み板41は、一方を第５外側ささら桁37に、他方を第５内側ささら桁38に、それぞれ支持されて固定されている。
また、踏み板41には、板状の木材を用いている。
また、踏み板41は、釘やネジなどの固定具を用いて、各ささら桁や各水平桁に固定されている。
（柱連結部材）
図１〜図１３に示すように、柱連結部材は、隣り合う中心柱同士を連結する部材である。
【００５５】
本実施の形態では、第１から第３までの３つの柱連結部材を備えている。
また、第１柱連結部材51は、一端を第１中心柱11に、他端を第２中心柱12に、それぞれ固定され、これにより、第１中心柱11と第２中心柱12とを連結している。
また、第２柱連結部材52は、一端を第２中心柱12に、他端を第３中心柱13に、それぞれ固定され、これにより、第２中心柱12と第３中心柱13とを連結している。
また、第３柱連結部材53は、一端を第１中心柱11に、他端を第３中心柱13に、それぞれ固定され、これにより、第１中心柱11と第３中心柱13とを連結している。
また、柱連結部材には、板状の木材を用いている。
【００５６】
また、柱連結部材は、釘やネジなどの固定具を用いて、各中心柱に固定されている。
以上説明したように、本実施の形態では、平面視したときに三角形の各頂点にそれぞれ位置するように、第１から第３までの３本の中心柱を立設し、また、３本のうちのいずれか２本の中心柱に架け渡すようにして、下水平桁を固定し、また、下水平桁よりも高い位置になるように、かつ、平面視したときには下水平桁とは同一直線上に位置しないようにしつつ、３本のうちのいずれか２本の中心柱に架け渡すようにして、上水平桁を固定し、さらに、下水平桁と上水平桁とに架け渡すようにして、ささら桁を固定し、そして、ささら桁に、踏み板41を支持させた。
【００５７】
このため、踏み板41に加わった荷重は、まず、ささら桁に伝わり、また、ささら桁に伝わった荷重は、下水平桁および上水平桁に伝わる。また、下水平桁に伝わった荷重は、３本のうちのいずれか２本の中心柱に伝わり、また、上水平桁に伝わった荷重も、３本のうちのいずれか２本の中心柱に伝わる。踏み板41に加わった荷重は、このようにして分散する。
したがって、木製にしても十分な強度を発揮する、らせん状の階段となる。
また、本実施の形態では、下水平桁（第１水平桁21、第３水平桁23）に対して蹴上げの寸法とほぼ等しい寸法分高い位置になるように、上水平桁（第２水平桁22、第４水平桁24）を設け、また、下水平桁（第１水平桁21、第３水平桁23）における中心三角形よりも外側に飛び出した部分と、上水平桁（第２水平桁22、第４水平桁24）における中心三角形よりも外側に飛び出した部分との間に、ささら桁（第２外側ささら桁33、第４外側ささら桁36）を架け渡し、このささら桁（第２外側ささら桁33、第４外側ささら桁36）に踏み板41を固定し、さらに、この踏み板41を、下水平桁（第１水平桁21、第３水平桁23）から上水平桁（第２水平桁22、第４水平桁24）まで至る大きさに形成して、踊り場とした。
【００５８】
このため、３本の中心柱の外側をらせん状に廻る階段であるにもかかわらず、踊り場を設けることができ、これにより、安全性をより一層向上させることができる。
【図面の簡単な説明】
【００５９】
【図１】本発明の実施の形態に係る階段の全体斜視図。
【図２】本発明の実施の形態に係る階段の全体斜視図。
【図３】本発明の実施の形態に係る階段の全体斜視図。
【図４】本発明の実施の形態に係る階段の全体斜視図。
【図５】本発明の実施の形態に係る階段の全体斜視図。
【図６】本発明の実施の形態に係る階段の一部拡大斜視図。
【図７】本発明の実施の形態に係る階段の一部拡大斜視図。
【図８】本発明の実施の形態に係る階段の一部拡大斜視図。
【図９】本発明の実施の形態に係る階段の一部拡大斜視図。
【図１０】本発明の実施の形態に係る階段の一部拡大斜視図。
【図１１】本発明の実施の形態に係る階段の一部拡大斜視図。
【図１２】本発明の実施の形態に係る階段の一部拡大斜視図。
【図１３】本発明の実施の形態に係る階段の一部拡大斜視図。
【符号の説明】
【００６０】
11  第１中心柱
12  第２中心柱
13  第３中心柱
21  第１水平桁
22  第２水平桁
23  第３水平桁
24  第４水平桁
31  第１外側ささら桁
32  第１内側ささら桁
33  第２外側ささら桁
34  第３外側ささら桁
35  第３内側ささら桁
36  第４外側ささら桁
37  第５外側ささら桁
38  第５内側ささら桁
41  踏み板
51  第１柱連結部材
52  第２柱連結部材
53  第３柱連結部材
【図１】
0004855434.tif 000002
【図２】
0004855434.tif 000003
【図３】
0004855434.tif 000004
【図４】
0004855434.tif 000005
【図５】
0004855434.tif 000006
【図６】
0004855434.tif 000007
【図７】
0004855434.tif 000008
【図８】
0004855434.tif 000009
【図９】
0004855434.tif 000010
【図１０】
0004855434.tif 000011
【図１１】
0004855434.tif 000012
【図１２】
0004855434.tif 000013
【図１３】
0004855434.tif 000014